(57)【要約】【課題】  遊技機の背面側のスペ−スを有効に利用することが可能な遊技機を提供する。 【解決手段】  遊技機の背面側に設置された球抜き装置２０から、外部への遊技球の導出を行うための球抜き通路４０が、機構板１７を貫通しつつ、機構板１７の前面側であって、本体枠２４の背面側に形成された空間に設置されているため、機構板１７の背面側のスペ−スを広く確保することができ、例えば、サブの液晶表示装置、各種の役物、各種の基板等を設置することが可能となる。【選択図】図３
2006320617.tif 000002
【特許請求の範囲】
【請求項１】
遊技部材が設置される本体枠と、同本体枠の背面側に配置され、遊技に関する各種の動作を制御する制御基板が設置される機構板と、同機構板の背面側に設置され、上部に備えられた外部装置から遊技球が供給される供給部と、上記機構板の背面側に設置され、遊技球の皿貯留部への払い出しを行う払出装置と、同払出装置への遊技球の供給、および、外部への遊技球の導出を切り替える球抜き装置とを具備する遊技機において、
上記球抜き装置から外部への遊技球の導出を行う球抜き通路の少なくとも一部が、上記機構板の前面側に設置されていることを特徴とする遊技機。
【発明の詳細な説明】
【技術分野】
【０００１】
本発明は、パチンコ遊技機等の遊技機に関する。
【背景技術】
【０００２】
従来、この種の遊技機として、外部装置から供給される遊技球を貯留するタンク、および、遊技球の払出装置が設けられたものが知られている。（例えば、特許文献１参照）。
かかる構成によれば、タンクに貯留された遊技球のうち指定された数量だけを、払出装置により払い出すことが可能であった。払い出された遊技球は前面側に案内されて、遊技に使用される。
【特許文献１】特開２００４−０７３７１９号公報
【発明の開示】
【発明が解決しようとする課題】
【０００３】
ところで、上述した払出装置とタンクとの間には、同払出装置への遊技球の供給と、遊技球を遊技機外部へ導出するための球抜き通路への遊技球の供給とを切り替える球抜き装置が設けられ、この球抜き装置を操作することにより、タンクからの遊技球の流下経路を選択することが可能なようになっていた。この球抜き装置が設けられることにより、払出装置が故障する等した場合に、払出装置の修理点検作業の邪魔となる遊技球を、一旦、上記球抜き通路を通過させて遊技機の外部に排出させることが可能となる。
【０００４】
しかしながら、上述した球抜き通路は、遊技機の背面側に設置されており、このことが、遊技機の背面側における各基板等の設置スペ−スを限定してしまっているという課題があった。
本発明は、上記課題にかんがみてなされたものであり、遊技機の背面側のスペ−スを有効に利用することが可能な遊技機の提供を目的とする。
【課題を解決するための手段】
【０００５】
上記目的を達成するため、請求項1 にかかる発明では、遊技部材が設置される本体枠と、同本体枠の背面側に配置され、遊技に関する各種の動作を制御する制御基板が設置される機構板と、同機構板の背面側に設置され、上部に備えられた外部装置から遊技球が供給される供給部と、上記機構板の背面側に設置され、遊技球の皿貯留部への払い出しを行う払出装置と、同払出装置への遊技球の供給、および、外部への遊技球の導出を切り替える球抜き装置とを具備する遊技機において、
上記球抜き装置から外部への遊技球の導出を行う球抜き通路の少なくとも一部が、上記機構板の前面側に設置されている構成としてある。
【０００６】
上記のように構成した請求項１にかかる発明において、遊技機は、遊技部材が設置される本体枠と、この本体枠の背面側に配置され、遊技に関する各種の動作を制御する制御基板が設置される機構板と、この機構板の背面側に設置され、上部に備えられた外部装置から遊技球が供給される供給部と、上記機構板の背面側に設置され、遊技球の皿貯留部への払い出しを行う払出装置とを具備している。さらに、遊技機は、払出装置への遊技球の供給、および、外部への遊技球の導出を切り替える球抜き装置を具備している。この球抜き通路は、例えば、遊技場の店員による所定の操作により、上記供給部からの遊技球を、払出装置へ供給するか、または、遊技機の外部へ導出するかを選択的に切り替えることが可能なように構成されている。
【０００７】
なお、上記本体枠に設置される上記遊技部材は、例えば、遊技機が第一種のパチンコ遊技機（所謂、セブン機）、第二種のパチンコ遊技機（所謂、羽物）、または、第三種のパチンコ機（所謂、権利物）である場合には、遊技盤や、同遊技盤面に設置される入賞口、始動口、風車、大入賞口（所謂、アタッカ）等の各種の役物等が該当し、また、遊技機が、回転するドラムを停止ボタンにより停止させて遊技を行うパチロットである場合には、上記ドラムが該当する。
【０００８】
そして、請求項１の発明にかかる遊技機は、上記球抜き装置から外部への遊技球の導出を行う球抜き通路の少なくとも一部が、上記機構板の前面側に設置されている。このように、通常、機構板の背面側に設置される球抜き通路の一部または全部を機構板の前面側に設置させることにより、遊技機の背面側のスペ−スを広く確保することができ、例えば、サブの液晶表示装置や、各種の役物等を設置することが可能となる。
本発明は、上記の構成に限られるものではなく、以下の手段をも含むものである。
【０００９】
手段１
手段１にかかる発明は、上記請求項１に記載した発明において、上記払出装置から払い出された遊技球を皿貯留部に供給するための払出通路の少なくとも一部が、上記本体枠に対して開閉可能に取り付けられる窓枠の前面側に設置されている構成としてある。
すなわち、払出装置から払い出された遊技球を皿貯留部に供給するための払出通路が遊技機の前面側に配置されるため、遊技機の背面側のスペ−スをより広く確保することが可能となる。
【００１０】
手段２
手段２にかかる発明は、請求項１または手段１のいずれかに記載した発明において、上記遊技部材として、その盤面に各種の役物が配置される遊技盤が、上記本体枠に取り付けられており、
上記機構板の前面側には、上記球抜き装置から上記機構板の前面側に排出された遊技球が、通過可能な間隔をあけて、２つの突起部が形成されており、
上記２つの突起部と、上記遊技盤の背面とで上記球抜き通路が構成されるようにしてある。
すなわち、上記２つの突起部と、機構板の前面側に配置される遊技盤の背面とから形成される空間内に遊技球を通過させて遊技機の外部に排出させることが可能となる。手段２にかかる発明では、球抜き通路を構成する部材の一部を、遊技盤にて代用させるようにしてあるため、球抜き通路の製造を簡略することができるとともに製造コストを低減させることが可能となる。
【００１１】
手段３
手段３にかかる発明は、手段２に記載した発明において、上記突起部と上記遊技盤の背面とが互いに嵌合し合う嵌合構造である構成としてある。
すなわち、機構板の前面側に形成された２つの突起部が、それぞれ遊技盤の背面に嵌合することにより、形成される球抜き通路の位置を固定しておくことが可能であるとともに、突起部と遊技盤の背面とに隙間が形成されず、通過する遊技球がこぼれ落ちてしまうことを防止することが可能となる。
【００１２】
手段４
手段４は、手段３に記載した発明において、上記遊技盤の背面には、上記２つの突起部が嵌合される凹部が形成されている構成としてある。
すなわち、遊技盤の前面側に形成された２つの突起部が、遊技盤の背面に形成された凹部に嵌合されることにより、形成される球抜き通路の位置が固定される。このように構成することにより、簡易に嵌合構造を形成することが可能となる。
【００１３】
手段５
手段５は、請求項１または手段１のいずれかに記載した発明において、上記遊技部材として、その盤面に各種の役物が配置される遊技盤が、上記本体枠に取り付けられており、
上記遊技盤の背面側には、上記球抜き装置から上記機構板の前面側に排出された遊技球が通過可能な間隔をあけて、２つの突起部が形成されており、
上記２つの突起部と、上記機構板の前面とで上記球抜き通路が構成されるようにしてある。
すなわち、上記２つの突起部と、機構板の前面とから形成される空間内に遊技球を通過させて遊技機の外部に排出させることが可能となる。手段５にかかる葉名では、球抜き通路を構成する部材の一部を、機構板の前面にて代用させるようにしてあるため、球抜き通路の製造を簡略化することができるとともに製造コストを低減させることが可能となる。
【００１４】
手段６
手段６にかかる発明は、上記請求項１または手段１から手段５のいずれかに記載した発明において、上記遊技機は本体枠における遊技領域にてドラムが回転させられるパチロットである構成としてある。
すなわち、本発明をパチロットにも適用することができる。なお、パチロットは、メダルの代わりに一定数のパチンコ球を使用して絵合わせを行うものでありパチンコ機とスロットマシンの両方の特徴を備えた遊技機である。このようなパチロットも、遊技球の払い出しと発射が行われるため、本発明を適用することができる。
【発明の効果】
【００１５】
以上説明したように、請求項１にかかる発明によれば、遊技機の背面側のスペ−スを広く確保することが可能となる。
手段１にかかる発明によれば、遊技機の背面側のスペ−スをより広く確保することが可能となる。
手段２にかかる発明によれば、球抜き通路の製造を簡略することができるとともに製造コストを低減させることが可能となる。
手段３にかかる発明によれば、形成される球抜き通路の位置を固定しておくことが可能であるとともに、突起部と遊技盤の背面とに隙間が形成されず、通過する遊技球がこぼれ落ちてしまうことを防止することが可能となる。
手段４にかかる発明によれば、簡易に嵌合構造を形成することが可能となる。
手段５にかかる発明によれば、球抜き通路の製造を簡略することができるとともに製造コストを低減させることが可能となる。
手段６にかかる発明によれば、パチロットにおける背面側のスペ−スを広く確保することが可能となる。
【発明を実施するための最良の形態】
【００１６】
ここでは、下記の順序に従って本発明の実施形態について説明する。
（１）第一の実施形態：
（２）第二の実施形態： 
（３）第三の実施形態： 
（４）第四の実施形態： 
（５）各種変形例：
（６）まとめ：
【００１７】
（１）第一の実施形態：
図１は、本発明の第一の実施形態にかかる遊技機（パチロット）を斜めから見て示している。なお、本実施形態においては、遊技領域において回転するドラムを具備するパチロットを本発明に適用する場合について説明するが、本発明の遊技機はこれに限定されるものではない。同図において、パチロット１０は木材で矩形枠状に形成された外枠１１を有しており、同外枠１１をホ−ル等に固定することにより正立した状態で設置される。外枠１１の内側には合成樹脂等で形成された矩形枠状の本体枠２４が嵌め込まれている。また、外枠１１の前面側には、窓枠１２が本体枠２４に対して回動可能に枢支されている。この本体枠２４は、窓枠１２の背面側が密着している状態で背面側に位置している。窓枠１２の前面側には、窓枠１２に対して回動可能な透明板保持枠としてのガラス枠１３が枢支されている。ガラス枠１３は中央部に窓穴１３ｄを有しており、同開口から透明板としてのガラス１３ａが露出するように保持されている。
【００１８】
ガラス１３ａは透視可能であり、ガラス１３ａの内側を視認することが可能となっている。そして、前面側からガラス１３ａを透視することにより、本体枠２４の内側に保持されているドラム５０の様子を視認することが可能となっている。なお、ガラス１３ａと本体枠２４との間の領域であって、ガラス１３ａを介して視認可能な領域が遊技領域である。遊技領域の略中央部分には、スロットマシンと同様に回転する３つのドラム５０が、その一部が前方に突出するように設けられている。このドラム５０の周面には、数字や絵柄が形成されている。なお、このパチロット１０は、スロットマシンにおけるメダルの代わりに遊技球を利用して遊技を行うものであり、例えば、５個の遊技球がメダル１個に相当するものとして遊技を楽しむことができる。
【００１９】
ガラス枠１３の下方には上皿１４が前面に向かって突設されており、さらにその下方には下皿１５が前面に向かって突設されている。なお、この上皿１４および下皿１５は、上記皿貯留部を構成するものである。上皿１４および下皿１５は所定の深みを有する皿状に形成されているため、遊技球を貯留しておくことができる。上皿１４の前面側中央部には３つの停止ボタン５１が設けられている。この停止ボタン５１は、対応するドラム５０の回転を停止させるためのものである。また、停止ボタン５１の左側には停止中のドラム５０の回転を開始させる契機となるスタ−トレバ−５２が設けられている。このパチロット１０では、上述したスタ−トレバ−５２を叩いて３つのドラム５０を回転させた後、遊技者の操作により停止ボタン５１を順次押下してドラム５０の各々を停止させ、３つのドラム５０の停止時に所定の数字または絵柄の組み合わせが有効ライン上に表示されたときには、遊技媒体としての遊技球が払い出される等、所定の利益が遊技者に対して付与されることとなる。なお、本発明の遊技機は、この実施形態のように上皿および下皿の両方を具備している必要はなく、例えば、上皿のみを具備していてもよい。
【００２０】
ガラス枠１３の前面側の左端には、パチロット１０の背面側に設置された後述する払出装置１５（図示せず）から払い出された遊技球を上皿１４に供給するための上記払出通路としての前面通路３０が設置されている。この前面通路３０は、ガラス枠１３の左端上部から上皿１４の直上まで垂下するとともに、そこから上皿１４における遊技球を貯留するための窪み部まで直角に折れ曲がるように設けられている。上述した払出装置１５から払い出された遊技球は、前面通路３０内を落下した後、上皿１４に供給される。また、この前面通路３０は、透明部材で構成されており、内部を通過する遊技球を視認可能となっている。このようにすることにより、前面通路３０の内部を通過する遊技球による装飾効果を奏するとともに、遊技球が払い出されたことに対する達成感を強く享受することが可能となる。また、払出装置１５から払い出された遊技球の通路（払出通路）を前面側に設けることにより、本体部の背面側のスペ−スを広く確保することが可能となり、同スペ−スを有効利用することができる。
【００２１】
本実施形態では、この前面通路３０がガラス枠１３に形成されている場合について説明したが、この前面通路３０の設置場所としては、窓枠１２の前面側であれば特に限定されるものではない。窓枠１２の前面側に設置されるのであれば、本体部の背面側のスペ−スを広く確保することができるという効果を享受することができるからである。また、前面通路３０は、払出装置１５からの遊技球を上皿１４に供給するように形成されているが、本発明においては、下皿１５に遊技球を供給するように前面通路３０が形成されていてもよく、上皿１４および下皿１５の両方に遊技球を供給するように形成されていてもよい。さらに、図１では、払出装置から上皿１４または下皿１５に遊技球を供給するための払出通路の全部が前面通路３０となっているが、本発明においては、払出通路の一部のみを前面通路３０とするようにしてもよい。
【００２２】
図２は、本実施形態にかかるパチンコ遊技機を背面側から見て示している。同図において、略矩形状枠に形成された外枠１１の内側に本体枠２４が嵌め込まれており、本体枠２４と外枠１１とは回動可能とされている。本体枠２４の略中央部には、略矩形状の開口が形成されており、同開口には、図１に示した上記遊技部材としてのドラム５０が、その一部が前面側（図２においては紙面奥側）に突出するように嵌め込まれている。
【００２３】
一方、本体枠２４の背面側（図２においては紙面手前側）には、ドラム５０が嵌め込まれる上記開口を背面側から覆うように機構板１７が設けられている。この機構板１７は、本体枠２４に対して回動可能に枢支されている。機構板１７の背面側には、パチロット１０における各種の動作を制御する各種の基板が取り付けられるとともに、機構板１７の背面側の上部には、遊技球を貯留しておく上記供給部としてのタンク１４も取り付けられている。タンク１４に貯留された遊技球は、下方に流下させられ、後述する球抜き装置２０、払出装置１５を通過して、上述した前面通路３０内を落下した後に上皿１４に供給され、その後、遊技球の発射装置（図示せず）に案内される。タンク１４から発射装置に案内されるまでの遊技球の経路に、払出装置１５が備えられることにより、遊技球の計数を行いつつ意図した数だけ遊技球を上皿１４に供給することか可能となっている。
【００２４】
また、払出装置１５の上流には、タンク１４とタンクレ−ル１４ａを介して接続される球抜き装置２０が備えられている。球抜き装置２０は、払出装置１５につながる本線通路２１（図示せず）、および、遊技球をパチロット１０の外部に導出するための球抜き通路４０（図示せず）のいずれかの通路に遊技球を案内するかを切り替えることが可能なように構成されている。具体的には、球抜き通路２０に設けられた切換レバ−２５を店員が操作することにより、タンクレ−ル１４ａから流下する遊技球が、払出装置１５へつながる本線通路２１、または、球抜き通路４０のいずれかに案内されるように流路を形成させ、これにより、タンクレ−ル１４ａからの遊技球を、本線通路２１または球抜き通路４０のいずれかに選択的に案内させるようになっている。このようにすることにより、払出装置１５等が故障した場合等に、切換レバ−２５を操作して球抜き通路４０への遊技球の流路を形成させることにより、払出装置１５等の修理点検作業の邪魔となる遊技球を上記球抜き通路４０を介してパチロット１０の外部に排出することができる。
【００２５】
球抜き装置２０から払出装置１５へとつながる本線通路は、機構板１７の背面側に設けられているが、球抜き通路２０からパチロット１０の外部へ遊技球を排出させるための球抜き通路４０は、後に図３、図４を用いて説明するが、機構板１７の前面側（図２においては紙面奥側）に設けられている。すなわち、この球抜き通路４０が機構板１７の背面側に設けられていないため、機構板１７の各種の基板を設置するためのスペ−スが広く確保されることとなる。
【００２６】
以下、機構板１７の前面側に設けられる球抜き通路４０について説明する。
図３は、図２に示した機構板の前面側に球抜き通路が設置されている様子を示す垂直断面図であり、図４は、球抜き通路が設置されている様子を示す水平断面図である。なお、図３、図４において、パチロット１０における球抜き通路の配置位置を示すために必要な装置・部材以外のものについては図示を省略している。図３において、機構板１７の背面側には、タンク１４、球抜き装置２０および払出装置１５の他、上述した制御基板（図示せず）等の各種の装置・部材が設けられている。また、機構板１７に対して本体枠２４が閉じられた状態で、本体枠２４は、機構板１７から所定距離離間した状態で機構板１７と略平行となるように配置されている。なお、上記所定距離は、機構板１７と本体枠２４との間を遊技球（直径約１１ｍｍ）が通過可能な距離である。図３には示していないが、本体枠２４の前面側（図３において左側）には、図１に示した窓枠１３が配置されることとなる。また、本体枠２４には、上述したように、矩形状の開口２４ａが形成されており、この開口２４ａにドラム５０が、その一部が前面側（図３において左側）に突出するように設けられている。
【００２７】
本体枠２４の背面側に設けられた球抜き装置２０からは、払出装置１５に連通する本線通路２１と、球抜き通路４０とが分岐している。この球抜き通路２０は、払出装置１５の下部から、機構板１７を貫通して略直角に折れ曲がり、機構板１７の前面側に沿って下方に延びるように設けられている。球抜き装置２０の切換レバ−２５が操作されて、タンク１４からの遊技球が球抜き通路４０に導出されると、その遊技球Ｐは、図３に示すように、球抜き通路４０内を下方に流下し、パチロット１０の外部に排出されるのである。
【００２８】
図４に示すように、球抜き通路４０は、機構板１７の前面にネジ４２で螺合されることにより固定されている。勿論、球抜き通路４０の取付方法としてはこれに限定されることはなく、例えば、機構板１７と球抜き通路４０とが樹脂製である場合には、熱融着により取り付けてもよいし、機構板１７と球抜き通路４０との材質が異なる場合には、接着剤等を用いて取り付けてもよい。球抜き通路４０は、断面視略コの字状の樋状部材であり、機構板１７の前面側に突出した部分と、機構板１７の前面とから形成される空間内を遊技球が通過するようになっている。
【００２９】
以上、説明したように第一の実施形態にかかるパチロット１０によれば、球抜き装置２０から外部への遊技球の導出を行うための球抜き通路４０が、機構板１７の前面側であって、本体枠２４の背面側、すなわち、機構板１７と本体枠２４との間に形成された空間内に設置されているため、機構板１７の背面側のスペ−スを広く確保することができ、例えば、サブの液晶表示装置、各種の役物、各種の基板等を設置することが可能となる。なお、図３、図４においては、球抜き装置２０から延びる球抜き通路４０の全部が、機構板１７と本体枠２４との間に設けられている場合について説明したが、本発明においては、球抜き通路４０の一部のみを機構板１７の前面側に設置するようにしてもよい。この場合であっても、機構板１７の背面側のスペ−スを広く確保することができるという効果を享受することが可能となるからである。
【００３０】
（２）第二の実施形態：
以下に説明する第二の実施形態においては、本発明の遊技機を、各種の役物がその盤面に形成された遊技盤を具備するパチンコ遊技機に適用する場合について説明する。
図５は、第二の実施形態にかかる遊技機（パチンコ遊技機）を斜めから見て示している。同図において、パチンコ遊技機１１０は、第一の実施形態に示したパチンコ遊技機１０と同様に、木材で矩形枠状に形成された外枠１１１を有しており、この外枠１１１の内側に、合成樹脂等で形成された矩形枠状の本体枠１２４が嵌め込まれている。また、外枠１１１の前面側には、窓枠１１２が本体枠１２４に対して回動可能に枢支されている。
【００３１】
矩形枠状に形成された本体枠１２４の開口には、遊技盤１１６が嵌め込まれている。この遊技盤１１６には、盤面上を落下する遊技球が衝突してその進行方向が変化する障害釘が植設される他、遊技球が入ることにより所定数の遊技球の払い出しが行われる入賞口や、大当たりが発生するか否かを決定する抽選が行われる契機となる始動口（所謂、スタ−トチャッカ）や、同始動口に遊技球が入ったことを契機として複数の図柄の可変表示が行われる液晶表示器や、大当たりが発生した後の大当たり遊技において断続的に開放状態となる大入賞口（所謂、アタッカ）等の各種の役物が配置される。この遊技盤１１６は、合成樹脂や、木材等にて形成される。このパチンコ遊技機１１０は、発射装置１１８から発射されてガイドレ−ル１１８ａにより遊技盤１１６の盤面上の上方にまで達した遊技球が、遊技盤１１６の盤面に植設された障害釘により進行方向を変化させながら落下し、上述した入賞口や始動口に遊技球が入ったときには、所定数の賞球が払い出されるものである。
【００３２】
また、このパチンコ遊技機１１０は、第一の実施形態にて示したパチロット１０と同様、本体枠１２４の背面側に機構板１１７（図示せず）が、本体枠１２４に対して回動可能に設けられている。第二の実施形態にかかるパチンコ遊技機１１０では、球抜き装置から外部への遊技球の導出を行うための球抜き通路１４０が、機構板１１７と本体枠１２４に設置された遊技盤１１６との間に設置されるのである。
【００３３】
図６は、図５に示したパチンコ遊技機において球抜き通路が設置されている様子を示す垂直断面図であり、図７は、球抜き通路が設置されている様子を示す水平断面図である。なお、図６、図７において、パチンコ遊技機における球抜き通路の配置位置を示すために必要な装置・部材以外のものについては図示を省略している。図６において、機構板１１７の背面側には、タンク１１４、球抜き装置１２０および払出装置１１５が設置されている。これら機構板１１７、タンク１１４および球抜き装置１２０は、第一の実施形態にて示した機構板１７、タンク１４および球抜き装置２０とそれぞれ同様の構成であるのでその説明は省略する。
【００３４】
矩形枠状の本体枠１２４に形成された矩形状の開口１２４ａには、上述したように板形状の遊技盤１１６が嵌め込まれて固定されている。なお、図６には、遊技盤１１６の盤面に設置される各種の役物（液晶表示器、入賞口、始動口等）は図示しておらず、盤面に植設された障害釘１１６ａのみを図示している。本体枠１２４の背面側に設けられた球抜き装置１２０からは、払出装置１１０に連通する本線通路１２１と、球抜き通路１４０とが分岐している。この球抜き通路１４０は、機構板１１７と本体枠１２４に固定された遊技盤１１６との間に設置されているとともに、端部が遊技盤１１６に略接するようになっている。
【００３５】
図７に示すように、球抜き通路１４０は、断面視略Ｌ字状の２つの突起部１４０ａ、１４０ｂを含み、これら突起部１４０ａ、１４０ｂがそれぞれ遊技盤１１６の背面に略当接するように、機構板１１７の前面側（図７においては上側）にネジを用いて取り付けられている。球抜き装置１２０から機構板１１７の前面側に導出された遊技球は、突起部１４０ａ、１４０ｂ、および、遊技盤１１６の背面により形成される樋形状の通路内を落下してパチンコ遊技機１１０の外部に導出されるのである。すなわち、第二の実施形態においては、突起部１４０ａ、１４０ｂおよび遊技盤１１６の背面により球抜き通路１４０が構成されているのである。このように、球抜き通路を構成する部材の一部を、遊技盤にて代用させるようにしてあるため、球抜き通路１４０を製造するための材料を削減することができるとともに、その製造を簡略化させることができ、結果、製造コストを低減させることが可能となるのである。
【００３６】
（３）第三の実施形態：
図８は、第三の実施形態にかかるパチンコ遊技機において球抜き通路が設置されている様子を示す水平断面図である。なお、図８に示す遊技盤２１６、機構板２１７、球抜き通路２４０以外の装置・部材については、第二の実施形態にて示したパチンコ遊技機１１０と同様であるのでその説明を省略する。
図８において、球抜き通路２４０は、断面視略Ｌ字状の２つの突起部２４０ａ、２４０ｂを含んでいる。２つの突起部２４０ａ、２４０ｂは、上記Ｌ字を構成する一辺が機構板２１７の前面に当接するようにしてネジにより固定されており、上記Ｌ字を構成する他の一辺が機構板の前面側に突出するようになっている。また、遊技盤２１６の背面には、突起部２４０ａ、２４０ｂにおける上記他の一辺の先端部がそれぞれ嵌合される凹部２１６ａ、２１６ｂが形成されている。そして、２つの突起部２４０ａ、２４０ｂ、および、遊技盤２１６の背面により、樋形状の球抜き通路２４０が構成されるのである。このように、第三の実施形態にかかるパチンコ遊技機では、突起部２４０ａ、２４０ｂが、それぞれ遊技盤の背面に嵌合される嵌合構造とすることにより、形成される球抜き通路２４０の位置を固定しておくことが可能であるとともに、突起部２４０ａ、２４０ｂと遊技盤２１６の背面とに隙間が形成されず、通過する遊技球が球抜き通路２４０外にこぼれ落ちてしまうことを防止することが可能となるのである。
【００３７】
（４）第四の実施形態：
上述した第一〜第三の実施形態においては、球抜き通路が機構板の前面に取り付けられている場合について説明したが、以下に説明する第四の実施形態においては、機構板の前面側に配置される遊技盤の背面に球抜き通路が取り付けられている場合について説明する。
図９は、第四の実施形態にかかる遊技盤の背面側を示す斜視図であり、図１０は、図９に示した遊技盤の背面側に機構板が設置されている様子を示す水平断面図である。図９において、遊技盤３１６の背面側には、樋状部材３１６ａが形成されている。この樋状部材３１６ａは、遊技盤３１６が樹脂製である場合には、一体成形で形成することが可能であるし、木製である場合には、接着剤等により遊技盤３１６の背面に張付することが可能である。
【００３８】
図１０に示すように、樋状部材３１６ａは、遊技盤３１６が取り付けられた本体枠（図示せず）が閉鎖状態であるときに、遊技盤３１６の背面側に配置されている機構板３１７に略当接している。このとき、樋状部材３１６ａと、機構板３１７の前面とにより形成された空間内を、球抜き装置から機構板３１７の前面側に導出された遊技球が落下するのである。
【００３９】
（５）各種変形例：
上述した第二〜第四の実施形態では、機構板と遊技盤との間に形成される空間内に、球抜き通路を設置する場合について説明したが、本発明においては、遊技盤の外縁部分の本体枠と機構板との間に球抜き通路を形成するようにしてもよい。遊技盤の背面側に各種の役物の動作を制御する基板等が設置されている場合には、遊技盤の背面側に球抜き通路を設置するよりも、本体枠の背面側に球抜き通路を設置する方が好都合である。
【００４０】
上述した第二〜第四の実施形態においては、本発明の遊技機をパチンコ遊技機に適用した場合について説明したが、本発明において適用されるパチンコ遊技機の種類は限定されるものではない。すなわち、第一種のパチンコ遊技機（所謂、セブン機）、第二種のパチンコ遊技機（所謂、羽根物）、第三種のパチンコ遊技機（所謂、権利物）、および、これらを組み合わせたパチンコ遊技機等、各種のパチンコ遊技機に本発明を適用することが可能である。
【００４１】
（６）まとめ：
以上説明したように本発明によれば、球抜き装置２０から外部への遊技球の導出を行うための球抜き通路４０が、機構板１７の前面側であって、本体枠２４の背面側、すなわち、機構板１７と本体枠２４との間に形成された空間内に設置されているため、機構板１７の背面側のスペ−スを広く確保することができ、例えば、サブの液晶表示装置、各種の役物、各種の基板等を設置することが可能となる。
【図面の簡単な説明】
【００４２】
【図１】第一の実施形態にかかるパチロットの斜視図である。
【図２】第一の実施形態にかかるパチロットの背面図である。
【図３】機構板の前面側に球抜き通路が設置されている様子を示す垂直断面図である。
【図４】球抜き通路が設置されている様子を示す水平断面図である。
【図５】第二の実施形態にかかるパチンコ遊技機の斜視図である。
【図６】球抜き通路が設置されている様子を示す垂直断面図である。
【図７】球抜き通路が設置されている様子を示す水平断面図である。
【図８】第三の実施形態にかかるパチンコ遊技機において球抜き通路が設置されている様子を示す水平断面図である。
【図９】第四の実施形態にかかる遊技盤の背面側を示す斜視図である。
【図１０】図９に示した遊技盤の背面側に機構板が設置されている様子を示す水平断面図である。
【符号の説明】
【００４３】
１０、３１０…パチロット
１１、１１１…外枠
１２、１１２…窓枠
１３、１１３…ガラス枠
１３ａ…ガラス
１４…上皿
１５…下皿
１７、１１７、２１７、３１７…機構板
１４、１１４…タンク
１４ａ、１１４ａ…タンクレ−ル
１５、１１５…払出装置
２０…球抜き装置
２１…本線通路
２４、１２４…本体枠
２５…切換えレバ−
３０、１３０…前面通路
４０、１４０…球抜き通路
４２…ネジ
５０…ドラム
５１…停止ボタン
５２…スタ−トレバ−
１１０…パチンコ遊技機
１４０ａ、１４０ｂ…突起部
【図１】
2006320617.tif 000003
【図２】
2006320617.tif 000004
【図３】
2006320617.tif 000005
【図４】
2006320617.tif 000006
【図５】
2006320617.tif 000007
【図６】
2006320617.tif 000008
【図７】
2006320617.tif 000009
【図８】
2006320617.tif 000010
【図９】
2006320617.tif 000011
【図１０】
2006320617.tif 000012